【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】  遊技機で遊技を行う際に使用される遊技用有価価値の大きさを特定可能な情報が記録された遊技用記録媒体を受付け、該受付けた遊技用記録媒体の記録情報を少なくとも読み取る記録媒体処理手段と、
現金を受付け、該受付現金の識別を行う現金識別手段と、
前記遊技用記録媒体から読み出された記録情報から特定される遊技用有価価値の大きさが所定値以下であることを条件に、前記現金識別手段により受付けた受付現金の金額に該当する大きさの遊技用有価価値を、前記遊技用記録媒体の記録情報から特定される大きさの遊技用有価価値に加算更新する価値加算処理を行う価値加算処理手段と、
を有する遊技用装置であって、
前記所定値を設定変更する所定値設定手段と、
前記現金識別手段にて受付けることができる現金の上限金額を設定変更する上限金額設定手段と、
を更に備え、
前記価値加算処理手段は、前記遊技用記録媒体から読み出された記録情報から特定される遊技用有価価値の大きさが前記所定値設定手段により設定された前記所定値以下であり、かつ前記現金識別手段により受付けた受付現金の金額が前記上限金額設定手段により設定された前記上限金額以下であることを条件に、該受付現金の金額に該当する大きさの遊技用有価価値を、前記遊技用記録媒体の記録情報から特定される大きさの遊技用有価価値に加算更新する価値加算処理を行う、
ことを特徴とする遊技用装置。
【請求項２】  遊技機で遊技を行う際に使用される遊技用有価価値の大きさを特定可能な情報が記録された遊技用記録媒体を受付け、該受付けた遊技用記録媒体の記録情報を少なくとも読み取る記録媒体処理手段と、
現金を受付け、該受付現金の識別を行う現金識別手段と、
前記遊技用記録媒体から読み出された記録情報から特定される遊技用有価価値の大きさが所定値未満であることを条件に、前記現金識別手段により受付けた受付現金の金額に該当する大きさの遊技用有価価値を、前記遊技用記録媒体の記録情報から特定される大きさの遊技用有価価値に加算更新する価値加算処理を行う価値加算処理手段と、
を有する遊技用装置であって、
前記所定値を設定変更する所定値設定手段と、
前記現金識別手段にて受付けることができる現金の上限金額を設定変更する上限金額設定手段と、
を更に備え、
前記価値加算処理手段は、前記遊技用記録媒体から読み出された記録情報から特定される遊技用有価価値の大きさが前記所定値設定手段により設定された前記所定値未満であり、かつ前記現金識別手段により受付けた受付現金の金額が前記上限金額設定手段により設定された前記上限金額以下であることを条件に、該受付現金の金額に該当する大きさの遊技用有価価値を、前記遊技用記録媒体の記録情報から特定される大きさの遊技用有価価値に加算更新する価値加算処理を行う、
ことを特徴とする遊技用装置。
【請求項３】  前記価値加算処理手段は、
前記受付現金の金額に該当する大きさの遊技用有価価値と前記記録情報から特定される大きさの遊技用有価価値とを加算する加算手段と、
該加算手段の加算による新たな遊技用有価価値の大きさが前記所定値以下となるか否かを判定する第１の判定手段と、
前記第１の判定手段が前記加算による新たな遊技用有価価値の大きさが前記所定値を超えると判定した場合において、前記加算手段の加算による新たな遊技用有価価値の大きさが該加算によって前記所定値を超えるか否かを判定する第２の判定手段と、
を含み、
前記第１の判定手段が前記加算手段の加算による新たな遊技用有価価値の大きさが前記所定値以下であると判定するか、前記第２の判定手段が前記加算手段の加算による新たな遊技用有価価値の大きさが該加算によって前記所定値を超えると判定したことを条件に、前記記録情報から特定される遊技用有価価値の大きさを前記加算による新たな遊技用有価価値の大きさに更新する加算更新処理を行う、
請求項１に記載の遊技用装置。
【請求項４】  前記上限金額設定手段により設定された上限金額以下の現金の受付が可能であることを報知する報知手段を具備する請求項１〜３のいずれかに記載の遊技用装置。
【手続補正２】
【補正対象書類名】明細書
【補正対象項目名】０００３
【補正方法】変更
【補正の内容】
【０００３】
【発明が解決しようとする課題】
しかしながら、これら価値加算（追加入金）を可能とした場合においては、同一の遊技用記録媒体に繰返し価値加算（追加入金）が可能となることから、これら遊技用記録媒体を遊技者が比較的長い期間所持するようになるため、前記価値加算（追加入金）を無制限にできて遊技用記録媒体に残存する遊技用有価価値の大きさを非常に大きくできてしまうと、この遊技用記録媒体を紛失した場合に遊技者の被害が大きなものとなってしまうことから、遊技者に不利益となってしまうという問題があった。
【手続補正３】
【補正対象書類名】明細書
【補正対象項目名】０００４
【補正方法】変更
【補正の内容】
【０００４】
よって、本発明は上記した問題点に着目してなされたもので、紛失等に伴う遊技者の不利益を適宜に低減することのできる遊技用装置を提供することを目的としている。
【手続補正４】
【補正対象書類名】明細書
【補正対象項目名】０００５
【補正方法】変更
【補正の内容】
【０００５】
【課題を解決するための手段】
前記した問題を解決するために、本発明の遊技用装置は、
遊技機で遊技を行う際に使用される遊技用有価価値の大きさを特定可能な情報が記録された遊技用記録媒体を受付け、該受付けた遊技用記録媒体の記録情報を少なくとも読み取る記録媒体処理手段と、
現金を受付け、該受付現金の識別を行う現金識別手段と、
前記遊技用記録媒体から読み出された記録情報から特定される遊技用有価価値の大きさが所定値以下であることを条件に、前記現金識別手段により受付けた受付現金の金額に該当する大きさの遊技用有価価値を、前記遊技用記録媒体の記録情報から特定される大きさの遊技用有価価値に加算更新する価値加算処理を行う価値加算処理手段と、
を有する遊技用装置であって、
前記所定値を設定変更する所定値設定手段と、
前記現金識別手段にて受付けることができる現金の上限金額を設定変更する上限金額設定手段と、
を更に備え、
前記価値加算処理手段は、前記遊技用記録媒体から読み出された記録情報から特定される遊技用有価価値の大きさが前記所定値設定手段により設定された前記所定値以下であり、かつ前記現金識別手段により受付けた受付現金の金額が前記上限金額設定手段により設定された前記上限金額以下であることを条件に、該受付現金の金額に該当する大きさの遊技用有価価値を、前記遊技用記録媒体の記録情報から特定される大きさの遊技用有価価値に加算更新する価値加算処理を行う、
ことを特徴としている。
この特徴によれば、前記遊技用記録媒体から読み出された記録情報から特定される遊技用有価価値の大きさが前記所定値設定手段により設定された前記所定値以下であり、かつ前記現金識別手段により受付けた受付現金の金額が前記上限金額設定手段により設定された前記上限金額以下であることを条件に、価値加算（追加入金）が可能となることから、遊技用記録媒体に残存する遊技用有価価値の大きさを適宜なものに抑えることが可能となり、紛失等に伴う遊技者の不利益を適宜に低減できる。
【手続補正５】
【補正対象書類名】明細書
【補正対象項目名】０００６
【補正方法】変更
【補正の内容】
【０００６】
本発明の遊技用装置は、
遊技機で遊技を行う際に使用される遊技用有価価値の大きさを特定可能な情報が記録された遊技用記録媒体を受付け、該受付けた遊技用記録媒体の記録情報を少なくとも読み取る記録媒体処理手段と、
現金を受付け、該受付現金の識別を行う現金識別手段と、
前記遊技用記録媒体から読み出された記録情報から特定される遊技用有価価値の大きさが所定値未満であることを条件に、前記現金識別手段により受付けた受付現金の金額に該当する大きさの遊技用有価価値を、前記遊技用記録媒体の記録情報から特定される大きさの遊技用有価価値に加算更新する価値加算処理を行う価値加算処理手段と、
を有する遊技用装置であって、
前記所定値を設定変更する所定値設定手段と、
前記現金識別手段にて受付けることができる現金の上限金額を設定変更する上限金額設定手段と、
を更に備え、
前記価値加算処理手段は、前記遊技用記録媒体から読み出された記録情報から特定される遊技用有価価値の大きさが前記所定値設定手段により設定された前記所定値未満であり、かつ前記現金識別手段により受付けた受付現金の金額が前記上限金額設定手段により設定された前記上限金額以下であることを条件に、該受付現金の金額に該当する大きさの遊技用有価価値を、前記遊技用記録媒体の記録情報から特定される大きさの遊技用有価価値に加算更新する価値加算処理を行う、
ことを特徴としている。
この特徴によれば、前記遊技用記録媒体から読み出された記録情報から特定される遊技用有価価値の大きさが前記所定値設定手段により設定された前記所定値未満であり、かつ前記現金識別手段により受付けた受付現金の金額が前記上限金額設定手段により設定された前記上限金額以下であることを条件に、価値加算（追加入金）が可能となることから、遊技用記録媒体に残存する遊技用有価価値の大きさを適宜なものに抑えることが可能となり、紛失等に伴う遊技者の不利益を適宜に低減できる。
【手続補正６】
【補正対象書類名】明細書
【補正対象項目名】０００７
【補正方法】変更
【補正の内容】
【０００７】
本発明の遊技用装置の前記価値加算処理手段は、
前記受付現金の金額に該当する大きさの遊技用有価価値と前記記録情報から特定される大きさの遊技用有価価値とを加算する加算手段と、
該加算手段の加算による新たな遊技用有価価値の大きさが前記所定値以下となるか否かを判定する第１の判定手段と、
前記第１の判定手段が前記加算による新たな遊技用有価価値の大きさが前記所定値を超えると判定した場合において、前記加算手段の加算による新たな遊技用有価価値の大きさが該加算によって前記所定値を超えるか否かを判定する第２の判定手段と、
を含み、
前記第１の判定手段が前記加算手段の加算による新たな遊技用有価価値の大きさが前記所定値以下であると判定するか、前記第２の判定手段が前記加算手段の加算による新たな遊技用有価価値の大きさが該加算によって前記所定値を超えると判定したことを条件に、前記記録情報から特定される遊技用有価価値の大きさを前記加算による新たな遊技用有価価値の大きさに更新する加算更新処理を行う、
ことが好ましい。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明の遊技用装置は、前記上限金額設定手段により設定された上限金額以下の現金の受付が可能であることを報知する報知手段を具備することが好ましい。
【手続補正１０】
【補正対象書類名】明細書
【補正対象項目名】００１１
【補正方法】削除
【補正の内容】
【手続補正１１】
【補正対象書類名】明細書
【補正対象項目名】０１７２
【補正方法】変更
【補正の内容】
【０１７２】
（ａ）請求項１の発明によれば、前記遊技用記録媒体から読み出された記録情報から特定される遊技用有価価値の大きさが前記所定値設定手段により設定された前記所定値以下であり、かつ前記現金識別手段により受付けた受付現金の金額が前記上限金額設定手段により設定された前記上限金額以下であることを条件に、価値加算（追加入金）が可能となることから、遊技用記録媒体に残存する遊技用有価価値の大きさを適宜なものに抑えることが可能となり、紛失等に伴う遊技者の不利益を適宜に低減できる。
【手続補正１２】
【補正対象書類名】明細書
【補正対象項目名】０１７３
【補正方法】変更
【補正の内容】
【０１７３】
（ｂ）請求項２の発明によれば、前記遊技用記録媒体から読み出された記録情報から特定される遊技用有価価値の大きさが前記所定値設定手段により設定された前記所定値未満であり、かつ前記現金識別手段により受付けた受付現金の金額が前記上限金額設定手段により設定された前記上限金額以下であることを条件に、価値加算（追加入金）が可能となることから、遊技用記録媒体に残存する遊技用有価価値の大きさを適宜なものに抑えることが可能となり、紛失等に伴う遊技者の不利益を適宜に低減できる。
【手続補正１３】
【補正対象書類名】明細書
【補正対象項目名】０１７４
【補正方法】削除
【補正の内容】
【手続補正１４】
【補正対象書類名】明細書
【補正対象項目名】０１７５
【補正方法】削除
【補正の内容】
【手続補正１５】
【補正対象書類名】明細書
【補正対象項目名】０１７６
【補正方法】削除
【補正の内容】
【手続補正１６】
【補正対象書類名】明細書
【補正対象項目名】０１７７
【補正方法】削除
【補正の内容】
【手続補正１７】
【補正対象書類名】明細書
【補正対象項目名】０１７８
【補正方法】削除
【補正の内容】